(57)【要約】【課題】景品の真偽を確実に識別する。【解決手段】遊技媒体の数に応じた価値を有する金属が非金属ケースに内蔵されている景品の真偽を識別する景品識別装置において、景品が通過する通路と、景品が通路を通過するとき、金属が対向する位置を通過するように配置されるコイルセンサと、コイルセンサに対する金属の影響の度合に応じて、景品の真偽を識別する識別回路とを備えた景品識別装置。【選択図】図１
2010125211.tif 000002
【特許請求の範囲】
【請求項１】
遊技媒体の数に応じた価値を有する金属が非金属ケースに内蔵されている景品の真偽を識別する景品識別装置において、
前記景品が通過する通路と、
前記景品が前記通路を通過するとき、前記金属が対向する位置を通過するように配置されるコイルセンサと、
前記コイルセンサに対する前記金属の影響の度合に応じて、前記景品の真偽を識別する識別回路と、
を備えたことを特徴とする景品識別装置。
【請求項２】
前記コイルセンサは、一対のコイルセンサを有し、
前記一対のコイルセンサのうち一方のコイルセンサは、前記金属の一方側の面と対向するように配置され、
前記一対のコイルセンサのうち他方のコイルセンサは、前記一方のコイルセンサが前記金属の一方側の面と対向するとき、前記金属の反対側の面と対向するように配置されることを特徴とする請求項１に記載の景品識別装置。
【請求項３】
前記一対のコイルセンサの各コイルは、前記一対のコイルセンサによる各磁界が前記通路側の所定範囲で発生するように直列同相接続されることを特徴とする請求項２に記載の景品識別装置。
【請求項４】
前記識別回路は、
前記金属の導電率に応じて変化の度合が異なる検出電圧を発生する検出回路と、
前記検出電圧のピーク値に応じて前記金属の材質を判別する判別回路と、
を有することを特徴とする請求項１乃至３の何れかに記載の景品識別装置。
【請求項５】
前記判別回路は、前記検出電圧のピーク値が第１閾値と第２閾値の間の値である場合、前記金属の材質を真と判別し、
前記識別回路は、前記判別回路が前記金属の材質を真と判別した場合、前記景品を真と識別することを特徴とする請求項４に記載の景品識別装置。
【請求項６】
前記通路の幅は、前記景品が前記通路を通過しつつ前記コイルセンサに近づくほど狭くなることを特徴とする請求項１乃至５の何れかに記載の景品識別装置。
【請求項７】
遊技媒体の数に応じた価値を有する金属が非金属ケースに内蔵されている景品の真偽を識別する景品識別装置において、
前記景品が通過する通路と、
前記景品が前記通路を通過するとき、前記金属が対向する位置を通過するように配置される第１コイルセンサと、
前記景品が前記通路を通過するとき、前記金属が前記第１コイルセンサと対向する位置を通過した後、前記金属が対向する位置を通過するように配置される第２コイルセンサと、
前記第１コイルセンサに対する前記金属の影響の度合に応じて、前記景品の真偽を識別する第１識別回路と、
前記第１識別回路が前記景品を真と識別した場合、前記第２コイルセンサに対する前記金属の影響の度合に応じて、前記景品の種類を識別する第２識別回路と、
を備えたことを特徴とする景品識別装置。
【発明の詳細な説明】
【技術分野】
【０００１】
本発明は、景品識別装置に関する。
【背景技術】
【０００２】
遊技媒体の数に応じた価値を有する金属が非金属ケースに内蔵された景品が知られている。例えば、純金等の貴金属がプラスチックケース内に埋め込まれた景品がパチンコホール等で使用されており、この景品は貴金属の重量に応じた価値を有している。
【０００３】
このような景品の価値を識別するに際しては、先ず、同景品内の金属が真正品であることが前提となる。このため、金属の真偽の識別が例えば目視によって行なわれていた。
【０００４】
また、予め真正品と確認された金属とともに例えばＩＣタグを景品に埋め込んでおき、所定の読取装置を通じて同ＩＣタグから読み取った識別情報に基づいて、景品の真偽を識別する技術も開示されている（例えば、特許文献１参照）。
【特許文献１】特開２００８−１１９５７号公報
【発明の開示】
【発明が解決しようとする課題】
【０００５】
しかしながら、景品が、例えば、純金より廉価な真鍮や、純金より廉価な銅や鉄等に金メッキしたもの等を純金と偽って使用している偽造品の場合、これを目視によって識別することは困難である。
【０００６】
また、ＩＣタグを含む景品に関しても、金属とともにこのＩＣタグ自体が偽造されている場合、これを偽造品と判断することは困難である。
【０００７】
もし目視や読取装置等の死角を突いてこのような偽造品が真正品に混入した場合、例えばパチンコ等の遊技媒体に係るビジネスに支障をきたす虞がある。つまり、例えば純金より廉価な金属を使用しているにもかかわらず純金としての価値を偽装表示している景品を、表示どおりの価値の金額で換金した場合、同景品に対し現金を支払った側は、純金と廉価な金属との差額分の損害を被ることになる。
【０００８】
本発明は、かかる課題に鑑みてなされたものであり、その目的とするところは、景品の真偽を確実に識別することにある。
【課題を解決するための手段】
【０００９】
前記課題を解決するための発明は、遊技媒体の数に応じた価値を有する金属が非金属ケースに内蔵されている景品の真偽を識別する景品識別装置において、前記景品が通過する通路と、前記景品が前記通路を通過するとき、前記金属が対向する位置を通過するように配置されるコイルセンサと、前記コイルセンサに対する前記金属の影響の度合に応じて、前記景品の真偽を識別する識別回路とを備えた景品識別装置である。  
この景品識別装置によれば、景品内の金属がコイルセンサに対して及ぼす影響の度合が、同景品の価値に対応する金属に該当するものであるか否かを判定できる。よって、この景品識別装置は、例えばコイルセンサに対する真正品の金属の影響の度合を基準として、識別対象の景品内の金属の真偽を正確に判定できる。また、コイルセンサと対向する位置を金属が通過するように景品が通路を通過することによって、例えば同一金属であれば、そのコイルセンサに対する影響の度合が一定に維持されるため、景品識別装置は、識別対象の景品内の金属の真偽をより正確に判定できる。以上から、この景品識別装置は、景品の真偽を確実に識別できる。
【００１０】
また、かかる景品識別装置において、前記コイルセンサは、一対のコイルセンサを有し、前記一対のコイルセンサのうち一方のコイルセンサは、前記金属の一方側の面と対向するように配置され、前記一対のコイルセンサのうち他方のコイルセンサは、前記一方のコイルセンサが前記金属の一方側の面と対向するとき、前記金属の反対側の面と対向するように配置されることが好ましい。  
この景品識別装置によれば、双方のコイルセンサは、同コイルセンサが金属をはさんで囲む領域全体にわたって磁界を形成できるため、コイルセンサに対する金属の影響の度合を高めることができる。また、景品が通路を通過する際、金属の一方側の面及び一方のコイルセンサの間の距離と、金属の反対側の面及び他方のコイルセンサの間の距離とが相補的な関係をとるため、例えば景品内の金属の位置や通路内の景品の姿勢等によって一方の距離が長くなっても、他方の距離はその分だけ短くなる。よって、例えば景品内の金属の位置や通路内の景品の姿勢等にかかわらず、金属と少なくとも一方のコイルセンサとの間の距離が一定に保たれることによって、コイルセンサに対する金属の影響の度合を一定に維持できる。以上は、景品の真偽の識別感度の向上及び安定につながる。従って、この景品識別装置は、景品の真偽をより確実に識別できる。
【００１１】
また、かかる景品識別装置において、前記一対のコイルセンサの各コイルは、前記一対のコイルセンサによる各磁界が前記通路側の所定範囲で発生するように直列同相接続されることが好ましい。  
この景品識別装置によれば、景品が通路を通過する際、金属がこの所定範囲を通過することによって、同金属と各コイルセンサから通路側に発生する各磁界との相互作用がより大きくなる。これにより、景品の真偽の識別感度はより一層向上する。従って、この景品識別装置は、景品の真偽をより一層確実に識別できる。
【００１２】
また、かかる景品識別装置において、前記識別回路は、前記金属の導電率に応じて変化の度合が異なる検出電圧を発生する検出回路と、前記検出電圧のピーク値に応じて前記金属の材質を判別する判別回路とを有することが好ましい。  
この景品識別装置によれば、判別回路は、検出回路からの検出電圧のピーク値を通じて、景品内の金属の材質を判別することによって、同金属が同景品の価値に対応する材質を有する金属であるか否かを判定できる。よって、この判別回路は、例えば真正品の金属の材質に対応する検出電圧を基準として、識別対象の景品内の金属の真偽を正確に判定できる。従って、この景品識別装置は、景品の真偽を確実に識別できる。
【００１３】
また、かかる景品識別装置において、前記判別回路は、前記検出電圧のピーク値が第１閾値と第２閾値の間の値である場合、前記金属の材質を真と判別し、前記識別回路は、前記判別回路が前記金属の材質を真と判別した場合、前記景品を真と識別することが好ましい。  
この景品識別装置によれば、例えば真正品の金属の材質に対応する検出電圧の範囲を第１閾値及び第２閾値によって予め定めておくことにより、判別回路は、検出回路からの検出電圧のピーク値が同範囲内であるか否かによって、識別対象の景品内の金属の真偽を正確に判定できる。従って、この景品識別装置は、景品の真偽を確実に識別できる。
【００１４】
また、かかる景品識別装置において、前記通路の幅は、前記景品が前記通路を通過しつつ前記コイルセンサに近づくほど狭くなることが好ましい。  
この景品識別装置によれば、景品がこのような通路を通過することによって、同景品内の金属は、コイルセンサとより正確に対向する位置を通過できる。よって、例えば同一金属であれば、そのコイルセンサに対する影響の度合がより一定に維持されるため、この景品識別装置は、識別対象の景品内の金属の真偽をより正確に判定できる。以上から、この景品識別装置は、景品の真偽をより確実に識別できる。
【００１５】
また、前記課題を解決するための発明は、遊技媒体の数に応じた価値を有する金属が非金属ケースに内蔵されている景品の真偽を識別する景品識別装置において、前記景品が通過する通路と、前記景品が前記通路を通過するとき、前記金属が対向する位置を通過するように配置される第１コイルセンサと、前記景品が前記通路を通過するとき、前記金属が前記第１コイルセンサと対向する位置を通過した後、前記金属が対向する位置を通過するように配置される第２コイルセンサと、前記第１コイルセンサに対する前記金属の影響の度合に応じて、前記景品の真偽を識別する第１識別回路と、前記第１識別回路が前記景品を真と識別した場合、前記第２コイルセンサに対する前記金属の影響の度合に応じて、前記景品の種類を識別する第２識別回路とを備えた景品識別装置である。  
この景品識別装置によれば、景品内の金属が第１コイルセンサ及び第２コイルセンサに対して及ぼす影響の度合を通じて、識別対象の景品内の金属の真偽を正確に判定できる上に、同金属が真である場合には更にその種類も判定できる。つまり、この景品識別装置は、景品の真偽に加えてその種類も確実に識別できるため、同景品の価値を確実に識別できる。
【発明の効果】
【００１６】
本発明によれば、景品の真偽を確実に識別できる。
【発明を実施するための最良の形態】
【００１７】
===景品識別装置の構成===
図１乃至図３を参照しつつ、本実施の形態の景品識別装置１の構成例について説明する。尚、図１は、本実施の形態の景品識別装置１の外観構成例を示す斜視図である。図２は、図１の景品識別装置１のＡ−Ａ’における断面図である。図３は、図１の景品識別装置１の景品識別動作を司る構成の一例を示すブロック図である。  
図１乃至図３に例示されるように、景品識別装置１は、通路３と、コイルセンサ１００と、識別回路１１０とを備えている。
【００１８】
通路３は、景品識別装置１の例えば直方形状の筐体２の一面に長尺方向（以後「通路方向」と称する）に沿って形成されており、この通路方向に沿って例えば矩形板状の景品９が摺動可能となっている。具体的には、この通路３は、筐体２の短尺方向（以後「通路幅方向」と称する）に対をなし且つ通路方向に延在する案内部３１とパネル部３２との間に凹状に形成された平坦面３４である。景品９を景品識別装置１で識別する場合、同景品９の何れか一方の面がこの平坦面３４に当接するようになっている。尚、本実施の形態の景品９は、例えばパチンコ玉等の遊技媒体の数に応じた価値を有する例えば純金等の金属が例えばプラスチック等の非金属ケースに内蔵されたものである。
【００１９】
コイルセンサ１００は、一対のコイルセンサ１０１、１０２を有する。一方のコイルセンサ１０１は、センサヘッド３３における平坦面３４と対向する面の内側に設けられており、他方のコイルセンサ１０２は、センサヘッド３３と対向する平坦面３４の内側に設けられている。センサヘッド３３及び平坦面３４におけるコイルセンサ１０１、１０２の通路幅方向の位置は、通路３を通過する景品９内の例えば矩形シート状の金属９１の通路幅方向の位置と一致するようになっている。これにより、センサヘッド３３と景品９とが対向している場合、コイルセンサ１０１は、同景品９１内の金属９１の一方側の面と対向し、コイルセンサ１０２は、同金属９１の反対側の面と対向する。尚、センサヘッド３３は、パネル部３２から通路幅方向に延在し且つ平坦面３４と所定間隔をもって対向するように形成されている。また、この所定間隔は、例えば景品９の厚さより僅かに幅広に設定されている。以後、この所定間隔の方向を「センサ間隔方向」と称する。更に、図１及び図２の例示では、このセンサ間隔方向は鉛直方向であり、通路方向及び通路幅方向はともに水平方向である。
【００２０】
コイルセンサ１０１は、例えば略円板状のフェライトコア１０１ｂと、同フェライトコア１０１ｂに巻回されたコイル１０１ａとを有し、同様に、コイルセンサ１０２は、フェライトコア１０２ｂとコイル１０１ａとを有している。２つのコイル１０１ａ、１０２ａは直列同相接続されており、これによって、各コイルセンサ１０１、１０２からは、センサヘッド３３と対向する景品９内の金属９１と相互作用する範囲まで通路３内に磁界が発生する。
【００２１】
識別回路１１０は、発振器１１１と、検出回路１１２（検出回路）と、整流回路１１３（検出回路）と、判別回路１１４とを有している。
【００２２】
発振器１１１は、コイルセンサ１０１、１０２に対し例えば略１０ｋＨｚの正弦波を出力する。
【００２３】
検出回路１１２は、発振器１１１から出力された正弦波によってコイルセンサ１０１、１０２から発生した磁界と金属９１との相互作用の結果、コイルセンサ１０１、１０２のインピーダンスが変化したとき、その変化量を検出して同変化量に応じた交流信号を出力する。尚、コイルセンサ１０１、１０２のインピーダンスは、金属９１の導電率に応じた変化量をもって変化する。
【００２４】
整流回路１１３は、検出回路１１２から出力された交流信号を整流して、この整流の結果得られた信号を検出電圧として出力する。
【００２５】
判別回路１１４は、整流回路１１３からの検出電圧のピーク値に応じて、金属９１の材質を判別する。尚、後述するように、判別回路１１４は、通路３を通過する景品９内の金属９１とコイルセンサ１０１、１０２とが対向したときの検出電圧のピーク値が真正品の金属に対応する所定の基準範囲にあるか否かを判定し、同ピーク値が同基準範囲にある場合に金属９１の材質が真であると判別する。
【００２６】
尚、前述した案内部３１は、図１に例示されるように、通路方向に沿って、コイルセンサ１０１、１０２に近づくほど、同案内部３１とパネル部３２との間に形成される通路３の幅が狭くなるような形状を有している。つまり、センサ間隔方向に沿って見た案内部３１の形状は、通路３と反対側が直線である一方、通路３側の一部が同通路３に向かって凸状をなして湾曲している。具体的には、案内部３１の通路幅方向の幅は、通路方向に沿ったセンサヘッド３３近傍の両側で最も広く（幅Ｒ及び幅Ｓ）、同両側から通路方向に沿って離れるにつれて徐々に狭くなっている（幅Ｑ及び幅Ｔ）。図１の例示では、幅Ｑと、同幅Ｑの位置から通路方向に沿ってセンサヘッド３３と反対側に更に離れた位置における幅Ｐとは等しくなっている。ここで、幅Ｒ及び幅Ｓは、例えば通路３の幅が景品９の幅よりも僅かに幅広となるような幅に設定されている。また、景品９は、通路３を、幅Ｐの位置から幅Ｔの位置へ向かって通過するようになっている。
【００２７】
また、図１及び図３に例示されるように、景品識別装置１は、ＣＰＵ２００と、パネル４と、カウンタ２０１、２０２と、ＲＡＭ２０３と、ＲＯＭ２０４とを更に備えている。ここで、パネル４は、前述したパネル部３２に設けられ、液晶ディスプレイ４１、４２と、例えば緑色ＬＥＤ（Light Emitting Diode）４３Ｇ及び例えば赤色ＬＥＤ４３ＲからなるＬＥＤ４３と、各種スイッチ４４とを有している。
【００２８】
ＣＰＵ２００は、前述した識別回路１１０、液晶ディスプレイ４１、４２、緑色ＬＥＤ４３Ｇ、赤色ＬＥＤ４３Ｒ、各種スイッチ４４、カウンタ２０１、２０２、ＲＡＭ２０３、及びＲＯＭ２０４を統括制御する。このＣＰＵ２００は、例えば、識別回路１１０からの景品９の識別結果をＬＥＤ４３に表示させるとともに、同識別結果をカウンタ２０１、２０２を通じて集計し、その集計結果を液晶ディスプレイ４１、４２に表示させる。
【００２９】
ＲＡＭ２０３は、前述したＣＰＵ２００の処理に用いられるデータ等を記憶し、ＲＯＭ２０４は、この処理の手順を定めるプログラム等を記憶する。
【００３０】
カウンタ２０１は、識別回路１１０からの景品９の識別結果が真である場合に＋１だけインクリメントし、カウンタ２０２は、識別回路１１０からの景品９の識別結果が「偽」である場合に＋１だけインクリメントする。
【００３１】
液晶ディスプレイ４１は、カウンタ２０１の計数値を表示し、液晶ディスプレイ４２は、カウンタ２０２の計数値を表示する。
【００３２】
緑色ＬＥＤ４３Ｇは、識別回路１１０からの景品９の識別結果が真である場合に所定時間だけ点灯し、赤色ＬＥＤ４３Ｒは、識別回路１１０からの景品９の識別結果が「偽」である場合に所定時間だけ点灯する。
【００３３】
各種スイッチ４４は、例えば利用者がコイルセンサ１０１、１０２の感度の切り換え等を行なうためのものである。ここで、コイルセンサ１０１、１０２の感度は、例えば検出電圧のピーク値と比較するべき前述した基準範囲を変更することによって、切り換え可能である。
【００３４】
尚、景品９内の金属９１の材質が一定（例えば純金）である限り、その価値は重量（大きさ）に応じたものとなる。本実施の形態では、利用者は、各種スイッチ４４を操作して金属９１の所定の重量を先ず設定し、同重量に相当する価値を示す景品９についてその真偽を識別するようになっている。例えば、金属９１が０．１ｇの景品９の真偽を識別した後、金属９１が１ｇの景品９の真偽を識別する場合、各種スイッチ４４を通じて、金属９１が重く（即ち、大きく）なった分だけ、前述した基準範囲のレベルを高く設定するようになっている。
【００３５】
更に、景品識別装置１は、複数の景品９に通路３を自動的に通過させるべく同景品９を搬送するための所定の搬送手段を更に備えていてもよい。つまり、例えば、通路方向に沿って、平坦面３４に所定のベルト（不図示）を摺動可能に配置し、或いは、平坦面３４を同ベルトで構成し、所定の駆動機構（不図示）によって同ベルトを通路方向に移動させることによって、図１に例示されるように、複数の景品９は通路方向に所定の間隔を保ちつつ１つずつセンサヘッド３３と平坦面３４との間を通過する。これにより、複数の景品２を自動的に識別できる。
【００３６】
===景品識別装置の動作===
図４を参照しつつ、前述した構成を備えた景品識別装置１の識別動作の一例について説明する。尚、同図は、本実施の形態の整流回路１１３からの検出電圧の時間変化の一例を示すグラフである。
【００３７】
図４の曲線Ａ、Ｂ、Ｃに例示されるように、景品９が通路３を通過する場合、整流回路１１３からの出力波形の電圧（検出電圧）は、同景品９内の金属９１がコイルセンサ１０１、１０２に近づくにつれて徐々に大きくなり、金属９１がコイルセンサ１０１、１０２と対向したときにピークを迎え、金属９１がコイルセンサ１０１、１０２から遠ざかるにつれて徐々に小さくなる。
【００３８】
このピーク値は金属９１の導電率が高くなるほど大きくなるという相関があるため、予め、金属９１の材質に特有なピーク値の範囲を検出し、同材質とピーク値の範囲とを対応付けておけば、判別回路１１４は、整流回路１１３からの検出電圧のピーク値から金属９１の材質が所定の金属に該当するか否かを判別できる。
【００３９】
景品９内の金属９１が例えば純金であり、純金に対応する検出電圧の時間変化の曲線がＡであるとする。  
例えば銅又は銅に金メッキしたものは、純金よりも導電率が高いため、その検出電圧の時間変化は、曲線Ａのピーク値よりも大きなピーク値を有する曲線Ｂとなる。  
例えば真鍮は、純金よりも導電率が低いため、その検出電圧の時間変化は、曲線Ａのピーク値よりも小さいピーク値を有する曲線Ｃとなる。
【００４０】
本実施の形態では、純金に対応する曲線Ａのピーク値の近傍の上限を与える第１閾値（Ｖ１）と、同近傍の下限を与える第２閾値（Ｖ２）とが予め設定されており、判別回路１１４は、検出電圧のピーク値がＶ１及びＶ２の間にある場合、金属９１が純金の真正品であると判別する。つまり、識別回路１１０は、同金属９１を含む景品９が真であると識別する。ＣＰＵ２００は、識別回路１１０から、景品９が真であるという識別結果を受信すると、緑色ＬＥＤ４３Ｇを点灯させて正常である旨を利用者に通知するとともに、カウンタ２０１を＋１だけインクリメントし、その時点での計数値を液晶ディスプレイ４１に表示させる。
【００４１】
一方、検出電圧のピーク値がＶ１より大きい場合又はＶ２より小さい場合、判別回路１１４は、金属９１が純金の偽造品であると判別する。つまり、識別回路１１０は、同金属９１を含む景品９が偽であると識別する。ＣＰＵ２００は、識別回路１１０から、景品９が偽であるという識別結果を受信すると、赤色ＬＥＤ４３Ｒを点灯させて異常である旨を利用者に通知するとともに、カウンタ２０２を＋１だけインクリメントし、その時点での計数値を液晶ディスプレイ４２に表示させる。
【００４２】
尚、整流回路１１３からの出力波形は、２つのコイルセンサ１０１、１０２それぞれに対応する２つの出力波形からなる。このため、判別回路１１４の判別対象である検出電圧として、例えば、これら２つの出力波形の電圧を平均してもよいし、或いは、その時間変化のピーク値がより大きい方の電圧を選択してもよい。
【００４３】
===景品の真偽の確実な識別===
景品識別装置１は、少なくとも、景品９が通過する通路３と、景品９が通路３を通過するとき、金属９１が対向する位置を通過するように配置されるコイルセンサ１００と、コイルセンサ１００に対する金属９１の影響の度合に応じて、景品９の真偽を識別する識別回路１１０とを備えていればよい。
【００４４】
尚、コイルセンサ１００は、コイルセンサ１０１及びコイルセンサ１０２の少なくとも一方でよい。
【００４５】
この景品識別装置１によれば、景品９内の金属９１がコイルセンサ１００に対して及ぼす影響の度合が、同景品９の価値に対応する金属９に該当するものであるか否かを判定できる。よって、この景品識別装置１は、例えばコイルセンサ１００に対する真正品の金属の影響の度合を基準として、識別対象の景品９内の金属９１の真偽を正確に判定できる。また、コイルセンサ１００と対向する位置を金属９１が通過するように景品９が通路３を通過することによって、例えば同一金属であれば、そのコイルセンサ１００に対する影響の度合が一定に維持されるため、景品識別装置１は、識別対象の景品９内の金属９１の真偽をより正確に判定できる。以上から、この景品識別装置１は、景品９の真偽を確実に識別できる。
【００４６】
また、前述した景品識別装置１において、コイルセンサ１００は、一対のコイルセンサ１０１、１０２を有し、コイルセンサ１０１は、金属９１の一方側の面と対向するように配置され、コイルセンサ１０２は、コイルセンサ１０１が金属９１の一方側の面と対向するとき、同金属９１の反対側の面と対向するように配置されている。
【００４７】
この景品識別装置１によれば、双方のコイルセンサ１０１、１０２は、同コイルセンサ１０１、１０２が金属９１をはさんで囲む領域全体にわたって磁界を形成できるため、コイルセンサ１０１、１０２に対する金属の影響の度合を高めることができる。また、景品９が通路３を通過する際、金属９１の一方側の面及びコイルセンサ１０１の間のセンサ間隔方向の距離と、金属９１の反対側の面及びコイルセンサ１０２の間のセンサ間隔方向の距離とが相補的な関係をとる。このため、仮に景品９内の金属９１の位置や通路３内の景品９の姿勢等が景品９ごとに微妙に異なることによって、たとえ一方の距離が長くなっても、他方の距離はその分だけ短くなる。よって、例えば景品９内の金属９１の位置や通路３内の景品９の姿勢等にかかわらず、金属９１とコイルセンサ１０１、１０２の何れか一方との間の距離が一定に保たれることによって、コイルセンサ１０１、１０２に対する金属９１の影響の度合を一定に維持できる。以上は、景品９の真偽の識別感度の向上及び安定につながる。従って、この景品識別装置１は、景品９の真偽をより確実に識別できる。
【００４８】
また、前述した景品識別装置１において、各コイル１０１、１０２は、その各磁界が通路３側の所定範囲で発生するように直列同相接続されている。
【００４９】
この景品識別装置１によれば、景品９が通路３を通過する際、金属９１がこの所定範囲を通過することによって、同金属９１と各コイルセンサ１０１、１０２から通路３側に発生する各磁界との相互作用がより大きくなる。これにより、景品９の真偽の識別感度はより一層向上する。従って、この景品識別装置１は、景品９の真偽をより一層確実に識別できる。
【００５０】
また、前述した景品識別装置１において、識別回路１１０は、金属９１の導電率に応じて変化の度合が異なる検出電圧を発生する検出回路１１２と、検出電圧のピーク値に応じて金属９１の材質を判別する判別回路１１４とを有している。
【００５１】
この景品識別装置１によれば、判別回路１１４は、検出回路１１２からの検出電圧のピーク値を通じて、景品９内の金属９１の材質を判別することによって、同金属９１が同景品９の価値に対応する材質を有する金属であるか否かを判定できる。よって、この判別回路１１４は、例えば真正品の金属の材質に対応する検出電圧を基準として、識別対象の景品９内の金属９１の真偽を正確に判定できる。従って、この景品識別装置１は、景品の真偽を確実に識別できる。
【００５２】
また、前述した景品識別装置１において、判別回路１１４は、検出電圧のピーク値が第１閾値（Ｖ１）と第２閾値（Ｖ２）の間の値である場合、金属９１の材質を真と判別し、識別回路１１０は、判別回路１１４が金属９１の材質を真と判別した場合、景品９を真と識別する。
【００５３】
この景品識別装置１によれば、例えば真正品の金属の材質に対応する検出電圧の範囲をＶ１及びＶ２によって予め定めておくことにより、判別回路１１４は、検出回路１１２からの検出電圧のピーク値が同範囲内であるか否かによって、識別対象の景品９内の金属９１の真偽を正確に判定できる。従って、この景品識別装置１は、景品９の真偽を確実に識別できる。
【００５４】
また、前述した景品識別装置１において、通路３の幅は、景品９が通路３を通過しつつコイルセンサ１００に近づくほど狭くなる。
【００５５】
この景品識別装置１によれば、景品９がこのような通路３を通過することによって、同景品９内の金属９１は、コイルセンサ１００とより正確に対向する位置を通過できる。よって、例えば同一金属であれば、そのコイルセンサ１００に対する影響の度合がより一定に維持されるため、この景品識別装置１は、識別対象の景品９内の金属９１の真偽をより正確に判定できる。以上から、この景品識別装置１は、景品の真偽をより確実に識別できる。
【００５６】
尚、前述した実施の形態では、景品識別装置１は、景品９の識別に際し、前述した所定の搬送手段を通じて複数の景品９を水平に保ちつつ通路３上を通過させるものであったが、これに限定されるものではない。
【００５７】
図５に例示されるように、景品識別装置７の一対のコイルセンサ７１０１、７１０２は、通路７３を隔てて対向し且つ鉛直方向（Ｚ軸方向）に立設された一対のセンサヘッド７３３、７４４にそれぞれ設けられ、前述した景品９は、その矩形板状の両面が鉛直方向（Ｚ軸方向）に沿った姿勢を保持しつつ、利用者が手動で通路７３を通過させるものであってもよい。同図は、本実施の形態の景品識別装置７の外観構成例を示す斜視図である。
【００５８】
或いは、図５のＹ軸方向が鉛直方向となるように景品識別装置７を配置すれば、景品９は、鉛直方向（Ｙ軸方向）下向きに自由落下することによって、通過７３を通過できる。
【００５９】
また、前述した実施の形態では、景品識別装置１は、景品９の真偽を識別するものであったが、同景品９の種類（例えば、「純金０．１ｇの景品」や「純金１ｇの景品」等、金属の重量の異なる景品９）を識別するための構成を更に備えていてもよい。
【００６０】
図６に例示されるように、景品識別装置８は、景品９が通過する通路８３と、景品９の真偽を識別するための第１コイルセンサ８１０１、８１０２と、通路方向（白抜き矢印の方向）において第１コイルセンサ８１０１、８１０２よりも下流に配置され、景品９の種類を識別するための第２コイルセンサ８１０３、８１０４とを備えている。同図は、本実施の形態の景品識別装置８の外観構成例を示す斜視図である。
【００６１】
景品識別装置８の外観構成は、図５に例示された景品識別装置７の外観構成に対し、第２コイルセンサ８１０３、８１０４を加えたものに等しい。つまり、この景品識別装置８では、一対の第１コイルセンサ８１０１、８１０２が、通路８３を隔てて対向する一対のセンサヘッド８３３、８４４にそれぞれ設けられるとともに、一対の第２コイルセンサ８１０３、８１０４が、同センサヘッド８３３、８４４にそれぞれ設けられている。
【００６２】
但し、この景品識別装置８は、第１コイルセンサ８１０１、８１０２に対する金属９１の影響の度合に応じて、景品９の真偽を識別する第１識別回路に加えて、この第１識別回路が景品９を真と識別した場合、第２コイルセンサ８１０３、８１０４に対する金属９１の影響の度合に応じて、景品９の種類を識別する第２識別回路を備えている。
【００６３】
ここで、第１コイルセンサ８１０１、８１０２及び第１識別回路は、前述した実施の形態のコイルセンサ１０１、１０２及び識別回路１１０と同じ構成を有している。一方、第２コイルセンサ８１０３、８１０４及び第２識別回路は、前述した実施の形態のコイルセンサ１０１、１０２及び識別回路１１０と略同じ構成を有しつつ、同構成において、金属９１の面積や厚さ等が判別可能となるように設定されている。
【００６４】
つまり、例えば、第１コイルセンサ８１０１、８１０２は、金属９１の材質を判別するためにその内部にまで磁界が及ぶように直列同相接続されている一方、第２コイルセンサ８１０３、８１０４は、金属９１の面積や厚さ等を更に判別するためにその表面に磁界が沿うように直列逆相接続されていてもよい。また、第２識別回路の検出回路からの検出電圧のピーク値は金属９１の面積及び厚さが増加するほど大きくなるという相関があるため、予め、所定種類の金属９１の面積及び厚さに特有なピーク値の範囲を検出し、同面積及び厚さとピーク値の範囲とを対応付けておけば、第２識別回路の判別回路は、検出回路からの検出電圧のピーク値から金属９１の面積及び厚さが所定種類の金属に該当するか否かを判別できる。
【００６５】
この景品識別装置８によれば、景品９内の金属９１が第１コイルセンサ８１０１、８１０２及び第２コイルセンサ８１０３、８１０４に対して及ぼす影響の度合を通じて、識別対象の景品９内の金属９１の真偽を正確に判定できる上に、同金属９が真である場合には更にその種類も判定できる。つまり、この景品識別装置８は、景品９の真偽に加えてその種類も確実に識別できるため、同景品９の価値を確実に識別できる。
【００６６】
尚、前述した図１の景品識別装置１についても、センサヘッド３３及びこれと対向する平坦面３４は、前述した一対のコイルセンサ１０１、１０２に加えて、同コイルセンサ１０１、１０２よりも通路方向下流に、景品識別装置８の第２コイルセンサ８１０３、８１０４と同等の（景品９の種類を識別するための）一対のコイルセンサ（不図示）を更に備えていてもよい。これにより、景品識別装置１は、景品９の真偽に加えてその種類も確実に識別できるため、同景品９の価値を確実に識別できる。
【００６７】
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【図面の簡単な説明】
【００６８】
【図１】本実施の形態の景品識別装置の外観構成例を示す斜視図である。
【図２】図１の景品識別装置のＡ−Ａ’における断面図である。
【図３】図１の景品識別装置の景品識別動作を司る構成の一例を示すブロック図である。
【図４】本実施の形態の整流回路からの検出電圧の時間変化の一例を示すグラフである。
【図５】本実施の形態の景品識別装置の外観構成のもう一つの例を示す斜視図である。
【図６】本実施の形態の景品識別装置の外観構成の更にもう一つの例を示す斜視図である。
【符号の説明】
【００６９】
１、７、８  景品識別装置      ２  筐体
３、７３、８３  通路          ４  パネル
９  景品                      ３１  案内部
３２  パネル部                ３３、７３３、７３４、８３３、８３４  センサヘッド
３４  平坦面                  ４１、４２  液晶ディスプレイ
４３  ＬＥＤ                  ４３Ｇ  緑色ＬＥＤ
４３Ｒ  赤色ＬＥＤ            ４４  各種スイッチ
１００、１０１、１０２  コイルセンサ
１０１ａ、１０２ａ  コイル    １０１ｂ、１０２ｂ  フェライトコア
１１０  識別回路              １１１  発振器
１１２  検出回路              １１３  整流回路
１１４  判別回路              ２００  ＣＰＵ
２０１、２０２  カウンタ      ２０３  ＲＯＭ
２０４  ＲＡＭ
７１０１、７１０２  コイルセンサ
８１０１、８１０２  第１コイルセンサ
８１０３、８１０４  第２コイルセンサ
【図１】
2010125211.tif 000003
【図２】
2010125211.tif 000004
【図３】
2010125211.tif 000005
【図４】
2010125211.tif 000006
【図５】
2010125211.tif 000007
【図６】
2010125211.tif 000008